【手続補正書】
【提出日】平成19年8月22日(2007.8.22)
【手続補正１】
【補正対象書類名】明細書
【補正対象項目名】特許請求の範囲
【補正方法】変更
【補正の内容】
【特許請求の範囲】    【請求項１】  脈管内の所定の部位にステントを配置する場合に使用するためのステント配備システムにおいて、  貫通する内孔部、基端部分、および先端部分を有する細長くて柔軟なカテーテルであって、前記カテーテルの前記先端部分は、ある流体圧力を前記カテーテルの内部に加えた場合に前記カテーテルの前記先端部分の壁部が外側に拡張する特性を示すジュロメーターを有する材料により形成されている、カテーテルと、  ヘッドピース要素、および前記ヘッドピース要素に連結され、かつ前記ヘッドピース要素から延出しているコイルにより構成されているステントであって、前記ステントの前記ヘッドピース要素は、前記カテーテルの前記先端部分の前記内孔部の中に配置されて液密係合している、ステントと、  前記カテーテルの前記基端部分に連結されて、前記カテーテルの内部にある流体圧力を加えることにより前記カテーテルの前記先端部分を外側に拡張させて前記ステントの前記ヘッドピース要素を放出することにより前記ステントを所定の部位に配置するための注射器と、  を含む、ステント配備システム。    【請求項２】  請求項１に記載のステント配備システムにおいて、  前記ステントは、前記コイルの周囲に延在するカバーを備えている、ステント配備システム。    【請求項３】  請求項２に記載のステント配備システムにおいて、  前記コイルは、螺旋形状に形成された柔軟な弾性ワイヤにより形成されている、ステント配備システム。    【請求項４】  請求項２に記載のステント配備システムにおいて、  前記コイルは、形状記憶材料により構成されている、ステント配備システム。    【請求項５】  請求項２に記載のステント配備システムにおいて、  前記コイルは、放射線不透過性の材料により形成されている、ステント配備システム。    【請求項６】  請求項２に記載のステント配備システムにおいて、  前記コイルは、ニチノールにより構成されている、ステント配備システム。    【請求項７】  脈管内の所定の部位にステントを配置する場合に使用するためのステント配備システムにおいて、  貫通する内孔部、基端部分、および先端部分を有する細長くて柔軟なカテーテルであって、前記カテーテルの前記先端部分は、ある流体圧力をカテーテルの内部に加えた場合に前記カテーテルの前記先端部分の壁部が外側に拡張する特性を示すジュロメーターを有する材料により形成されている、カテーテルと、  ヘッドピース要素、および前記ヘッドピース要素に連結され、かつ前記ヘッドピースから延出しているステント本体部分要素により構成されているステントシステムであって、前記ヘッドピース要素は、前記カテーテルの前記先端部分の前記内孔部の中に配置されて液密係合している、ステントシステムと、  前記カテーテルの前記基端部分に連結されて、前記カテーテルの内部にある流体圧力を加えることにより前記カテーテルの前記先端部分を外側に拡張させて前記ステントの前記ヘッドピース要素を放出することにより前記ステントシステムを所定の部位に配置するための注射器と、  を含む、ステント配備システム。    【請求項８】  脈管内の所定の部位にステントを配置する場合に使用するためのステント配備システムにおいて、  貫通する内孔部、��端部分、および先端部分を有する細長くて柔軟なカテーテルであって、前記カテーテルの前記先端部分は、ある流体圧力を前記カテーテルの内部に加えた場合に前記カテーテルの前記先端部分の壁部が外側に拡張する特性を示すジュロメーターを有する材料により形成されている、カテーテルと、  基端部および先端部分を有するコイルにより構成されているステントシステムであって、前記基端部は、前記カテーテルの前記先端部分の前記内孔部の中に配置されて液密係合している、ステントシステムと、  前記カテーテルの前記基端部分に連結されて、前記カテーテルの内部にある流体圧力を加えることにより前記カテーテルの前記先端部分を外側に拡張させて前記ステントの前記基端部を放出することにより前記ステントを所定の部位に配置するための注射器と、  を含む、ステント配備システム。【手続補正２】
【補正対象書類名】明細書
【補正対象項目名】００２７
【補正方法】変更
【補正の内容】
【００２７】  本発明の実施態様は以下の通りである。  （Ａ）  脈管内の所定の部位にステントを配置する場合に使用するためのステント配備システムにおいて、  貫通する内孔部および基端部分および先端部分を有する細長くて柔軟なカテーテルから成り、当該カテーテルの先端部分が、一定の流体圧力をカテーテルの内部に加えた場合にカテーテルの先端部分の壁部が外側に拡張する特性を示すジュロメーターを有する材料により形成されており、さらに、  ヘッドピース要素および当該ヘッドピース要素に連結してこれから延出しているコイルにより構成されているステントから成り、当該ステントのヘッドピース要素が前記カテーテルの先端部分の内孔部の中に配置されて液密係合しており、さらに、  前記カテーテルの基端部分に連結されて、当該カテーテルの内部に一定の流体圧力を加えることによりカテーテルの先端部分を外側に拡張させて前記ステントのヘッドピース要素を放出することにより当該ステントを所定の部位に配置するための注射器から成るステント配備システム。  （１）前記ステントが前記コイルの周囲に延在するカバーを備えている実施態様（Ａ）に記載のステント配備システム。  （２）前記コイルが螺旋形状に形成された柔軟な弾性ワイヤにより形成されている実施態様（１）に記載のステント配備システム。  （３）前記弾性ワイヤが形状記憶材料により構成されている実施態様（１）に記載のステント配備システム。  （４）前記コイルが放射線不透過性の材料により形成されている実施態様（１）に記載のステント配備システム。  （５）前記弾性ワイヤがニチノールにより構成されている実施態様（１）に記載のステント配備システム。【手続補正３】
【補正対象書類名】明細書
【補正対象項目名】００２８
【補正方法】変更
【補正の内容】
【００２８】 （Ｂ）  脈管内の所定の部位にステントを配置する場合に使用するためのステント配備システムにおいて、  貫通する内孔部および基端部分および先端部分を有する細長くて柔軟なカテーテルから成り、当該カテーテルの先端部分が、一定の流体圧力をカテーテルの内部に加えた場合にカテーテルの先端部分の壁部が外側に拡張する特性を示すジュロメーターを有する材料により形成されており、さらに、  ヘッドピース要素および当該ヘッドピース要素に連結してこれから延出しているステント本体部分要素により構成されているステントシステムから成り、当該ヘッドピース要素が前記カテーテルの先端部分の内孔部の中に配置されて液密係合しており、さらに、  前記カテーテルの基端部分に連結されて、当該カテーテルの内部に一定の流体圧力を加えることによりカテーテルの先端部分を外側に拡張させて前記ステントシステムのヘッドピース要素を放出することにより当該ステントシステムを所定の部位に配置するための注射器から成るステント配備システム。  （６）前記ステントがカバーを備えている実施態様（Ｂ）に記載のステント配備システム。  （７）前記ステント本体部分要素が形状記憶材料により形成されている実施態様（６）に記載のステント配備システム。  （８）前記ステント本体部分要素がニチノールにより構成されている実施態様（６）に記載のステント配備システム。  （９）前記ステント本体部分要素が放射線不透過性の材料により構成されている実施態様（６）に記載のステント配備システム。 （Ｃ）  脈管内の所定の部位にステントを配置する場合に使用するためのステント配備システムにおいて、  貫通する内孔部および基端部分および先端部分を有する細長くて柔軟なカテーテルから成り、当該カテーテルの先端部分が、一定の流体圧力をカテーテルの内部に加えた場合にカテーテルの先端部分の壁部が外側に拡張する特性を示すジュロメーターを有する材料により形成されており、さらに、  基端部および先端部分を有するコイルにより構成されているステントシステムから成り、当該コイルの基端部が前記カテーテルの先端部分の内孔部の中に配置されて液密係合しており、さらに、  前記カテーテルの基端部分に連結されて、当該カテーテルの内部に一定の流体圧力を加えることによりカテーテルの先端部分を外側に拡張させて前記ステントシステムの基端部を放出することにより当該ステントシステムを所定の部位に配置するための注射器から成るステント配備システム。  （１０）前記ステントがカバーを備えている実施態様（Ｃ）に記載のステント配備システム。【手続補正４】
【補正対象書類名】明細書
【補正対象項目名】００２９
【補正方法】変更
【補正の内容】
【００２９】  （１１）前記ステントシステムの先端部分が螺旋形状のワイヤにより構成されている実施態様（１０）に記載のステント配備システム。  （１２）前記螺旋形状のワイヤが形状記憶材料により形成されている実施態様（１１）に記載のステント配備システム。  （１３）前記螺旋形状のワイヤがニチノールにより形成されている実施態様（１１）に記載のステント配備システム。  （１４）前記ステント本体部分が放射線不透過性の材料により構成されている実施態様（Ｃ）に記載のステント配備システム。  （１５）前記先端部分がメッシュ材により構成されている実施態様（Ｃ）に記載のステント配備システム。